(57)【要約】【課題】帽子の形態をくずすことなく、すべり部分や裏天井部分を容易に洗濯したり交換可能で、常時清潔に保つことができる帽子を提供することを課題とする。【解決手段】頭部に被せる帽子本体１と、帽子本体１に設けた鍔部２と、帽子本体１の下部内面に設けたすべり３とを有する帽子において、すべり３を帽子本体１に対して着脱可能に設けた。この場合、すべり３を環状に形成し、そのすべり３と帽子本体１との間に、すべりを帽子本体に着脱可能に取り付ける着脱手段６を設ける。【選択図】図２
2008025076.tif 000002
【特許請求の範囲】
【請求項１】
頭部に被せる帽子本体と、帽子本体の下部内面に設けたすべりとを有する帽子において、前記すべりを帽子本体に対して着脱可能に設けたことを特徴とする帽子。
【請求項２】
前記すべりを環状に形成し、そのすべりと前記帽子本体との間に、すべりを帽子本体に着脱可能に取り付ける着脱手段を設けたことを特徴とする請求項１に記載の帽子。
【請求項３】
前記帽子本体の上部内面に裏天井材を着脱可能に設けたことを特徴とする請求項１又は２に記載の帽子。
【請求項４】
前記裏天井材と帽子本体との間に、裏天井材を帽子本体に着脱可能に取り付ける着脱手段を設けたことを特徴とする請求項３に記載の帽子。
【請求項５】
前記着脱手段に、ベルベット式ファスナー、ファスナー又はホックのうちの少なくとも一つを用いてある、請求項２又は請求項４に記載の帽子。
【請求項６】
前記すべり又は裏天井材の少なくとも一方が防臭機能を備えていることを特徴とする請求項１から請求項４の何れかに記載の帽子。
【発明の詳細な説明】
【技術分野】
【０００１】  本発明は、頭部に被せる帽子本体の下部内面にすべりを設けた帽子の技術に関する。
【背景技術】
【０００２】  従来の帽子として、頭部に被せる部分となる帽子本体と、この帽子本体の下部から突出する鍔部と、帽子本体の下部内面に設けたベルト状のすべりとを有するものが広く知られている。【０００３】  例えば、特許文献１には、頭に被せる逆カップ状の帽子本体と、帽子本体の下端に連設された鍔と、帽子本体の内面下端部に設けられたベルト状のすべりとを備え、帽子本体の一部又は全部を周方向に伸縮する編地により形成し、さらにすべりを長手方向に伸縮する布地により形成した帽子が記載されている。この特許文献１に記載の帽子では、帽子本体の周方向の伸縮性に優れ、頭に良好にフィットする帽子を得ることができる【特許文献１】特開２０００−１５０３号公報
【発明の開示】
【発明が解決しようとする課題】
【０００４】  しかしながら、この特許文献１に記載の帽子に限らず、ベルト状のすべりを有する既存の帽子では、特に夏季のように汗をかきやすい環境下の着帽時において、次のような問題があった。【０００５】  即ち、帽子本体の内面下部に設けられているベルト状のすべりの部分が頭部や額の汗によって汚れたり、臭い（化粧の臭いも含む）が付いたりする問題である。通常、すべりの部分は帽子本体に縫い付けられている。そのため、すべり部分に付いた汚れや臭いを除去するには、すべり部分のみを手洗いしたり、帽子ごと洗濯するしか方法がなかった。【０００６】  帽子ごと洗濯した場合、帽子の形態がくずれる場合もあり、好ましくない。消臭スプレーをかける方法もあるが、この方法では汚れを落とすことはできない。こうした問題は、帽子本体の上部内面に設けた布やシート等からなる裏天井材でも同様である。【０００７】  本発明は、このような問題点に配慮したものであり、帽子の形態をくずすことなく、すべり部分や裏天井部分を容易に洗濯したり交換可能で、常時清潔に保つことができる帽子の技術を提供することを課題としている。
【課題を解決するための手段】
【０００８】  本発明の帽子は、頭部に被せる帽子本体と、帽子本体の下部内面に設けたすべりとを有する帽子において、前記すべりを帽子本体に対して着脱可能に設けたものである。この場合、前記すべりを環状に形成し、そのすべりと前記帽子本体との間に、すべりを帽子本体に着脱可能に取り付ける着脱手段を設けることが好ましい。【０００９】  また、前記帽子本体の上部内面に裏天井材を着脱可能に設けた構成とすることができる。この場合、前記裏天井材と帽子本体との間に、裏天井材を帽子本体に着脱可能に取り付ける着脱手段を設けることが好ましい。【００１０】  上記のように、すべり部分や裏天井部分を着脱可能に構成することで、すべり部分や裏天井部分を取り外して容易に洗濯したり、交換したりすることが可能になり、常時清潔に保つことができる。また、すべり部分や裏天井部分を帽子本体から取り外して洗濯したり、交換できるので、従来のように帽子ごとの洗濯により帽子の形態をくずす恐れもなくすことができる。【００１１】  ここで、前記着脱手段に、ベルベット式ファスナー（商品名：マジックテープ）や、通常のチャック式ファスナー又はホックのうちの少なくとも一つを用いることができる。ベルベット式ファスナーや通常のファスナー、ホックの場合、着脱操作が便利な上に、縫い付けや貼り付けなどの簡便な方法で取り付けることができる。【００１２】  さらに、前記すべり又は裏天井材の少なくとも一方が防臭機能を備える構成とすることもできる。防臭機能はとしては、すべり又は裏天井材の両方に装備することが好ましいが、何れか一方でも十分な場合もある。防臭機能に関しては、すべりや裏天井材に物理的吸着剤や化学的消臭剤を予め含ませた構成とすることもできるし、後から付加する構成とすることもできる。このすべり又は裏天井材には、防臭機能の他に、防汚機能、吸汗機能、通気性、洗濯性等の機能も併せて持たせることもできる。
【発明の効果】
【００１３】  本発明の帽子によれば、帽子の形態をくずすことなく、すべり部分や裏天井部分を容易に洗濯したり交換可能で、常時清潔に保つことができる。さらに、防臭機能を付加することで、快適な帽子とすることができる。
【発明を実施するための最良の形態】
【実施例】
【００１４】  以下、本発明の実施例を図面を参照して説明する。図１〜図５に示す実施例は、例えば警察官や警備員等において、制帽として制服と共に着用する鍔付き帽子に適用した例を示すものである。これらの図において、図１は帽子の正面図を示し、図２は裏面図を示し、図３はすべりの斜視図を示している。【００１５】  この実施例の帽子は、頭部に被せる帽子本体１と、帽子本体１に設けた鍔部２と、帽子本体１の下部内面に設けたすべり３とを有する。図１において、４は顎紐を、５は徽章を示している。帽子本体１の下部は、高さ５ｃｍ前後の短い筒状に形成された腰部分である立ち上がり部１ａとして形成され、この立ち上がり部１ａの内面側にすべり３が着脱可能に取り付けられている。【００１６】  すべり３は、帯状（ベルト状）の素材を環状に形成したもので、このすべり３と帽子本体１の立ち上がり部１ａとの間に、すべり３を帽子本体１に着脱可能に取り付ける着脱手段６が設けられている。【００１７】  この着脱手段６には、この実施例ではベルベット式ファスナーが用いられている。即ち、図２及び図３に示すように、ベルベット式ファスナーを構成するオス型ファスナー６ａとメス型ファスナー６ｂのうちの一方が立ち上がり部１ａの内面側に設けられ、他方がすべり３の外面側に設けられている。【００１８】  このベルベット式ファスナーからなる着脱手段６は、すべり３の周方向に間隔をおいて四箇所設けられている。勿論、この着脱手段６を全周に至るように設けても良い。但し、着脱操作性や経済性の点からは、間隔をおいて設ける方が好ましい。このように構成することで、すべり３を帽子本体１から容易に取り外して洗濯したり、別に用意したすべり３と交換して使用することが可能になる。【００１９】  図４は、すべり３と立ち上がり部１ａとの間に設ける着脱手段６に、いわゆるチャックとして知られる通常のファスナーを用いた例を示している。このようにしても、すべり３を容易に着脱可能な構成とすることができる。【００２０】  さらに、この図４及び図５では、帽子本体１の上部内面に裏天井材７を着脱可能に設ける例も示している。この場合も、裏天井材７と帽子本体１との間に、裏天井材７を帽子本体１に着脱可能に取り付けるベルベット式ファスナーからなる着脱手段６が設けられている。【００２１】  裏天井材７は、帽子本体１の上部内面形状に合わせて円形状に形成され、その外周寄りの部分には、ベルベット式ファスナーを構成するオス型ファスナー６ａとメス型ファスナー６ｂのうちの一方が裏天井材７の内面側に設けられ、他方が帽子本体１の上部内面１ｂ側に設けられている。【００２２】  この実施例では、裏天井材７のオス型ファスナー６ａは環状に設けられ、メス型ファスナー６ｂは帽子本体１の上部内面１ｂ側に間隔をおいて四箇所設けられた例が示されている。したがって、裏天井材７を帽子本体１から容易に取り外して洗濯したり、別に用意した裏天井材７と交換して使用することが可能になる。【００２３】  このように、すべり３や裏天井材７を着脱可能に構成することで、すべり部分や裏天井部分を取り外して容易に洗濯したり、交換したりすることが可能になり、常時清潔に保つことができる。また、すべり部分や裏天���部分を帽子本体１から取り外して洗濯したり、交換できるので、従来のように帽子ごとの洗濯により帽子の形態をくずす恐れもなくすことができる。【００２４】  なお、着脱手段６には、ベルベット式ファスナーや、通常のチャック式ファスナーの他に、ホックを用いることもできる。ベルベット式ファスナーや通常のファスナー、ホックの場合、着脱操作が便利な上に、縫い付けや貼り付けなどの簡便な方法で取り付けることができる。【００２５】  さらに、すべり３又は裏天井材７の少なくとも一方が防臭機能を備える構成とすることもできる。防臭機能はとしては、すべり３又は裏天井材７の両方に装備することもできるが、何れか一方でも十分にその機能を発揮させることができる。防臭機能に関しては、すべり３や裏天井材７に物理的吸着剤や化学的消臭剤を予め含ませた構成とすることもできるし、後から付加する構成とすることもできる。【００２６】  物理的吸着剤としては、例えば活性炭や木炭粉末等をすべり３又は裏天井材７を形成する素材中に分散して用いることができる。さらに、この物理的吸着剤を収容する袋状部分をすべり３や裏天井材７に形成して用いることもできる。この物理的吸着剤として、シリカゲル、ゼオライト、その他の吸着剤を用いても良い。化学的消臭剤としては、例えば、２価の鉄塩のキレート化合物等からなる消臭剤をシートや不織布等に含ませたものを用いることができる。また、このすべり３又は裏天井材７には、防臭機能の他に、防汚機能、吸汗機能、通気性、洗濯性等の機能も併せて持たせるようにしても良い。【００２７】  なお、上記実施例では、本発明を鍔付きの制帽に適用した例を示したが、すべりや裏天井材を有する他の帽子に適用することもできる
【図面の簡単な説明】
【００２８】
【図１】本発明の実施例を示す帽子の正面図である。
【図２】本発明の実施例を示す帽子の裏面図である。
【図３】本発明の実施例を示す帽子のすべりの斜視図である。
【図４】本発明の他の実施例を示す帽子の裏面図である。
【図５】本発明の他の実施例を示す帽子の裏天井材を示す平面図である。
【符号の説明】
【００２９】１  帽子本体１ａ  立ち上がり部１ｂ  上部内面２  鍔部３  すべり４  顎紐５  徽章６  着脱手段６ａ  オス型ファスナー６ｂ  メス型ファスナー７  裏天井材
【図１】
2008025076.tif 000003
【図２】
2008025076.tif 000004
【図３】
2008025076.tif 000005
【図４】
2008025076.tif 000006
【図５】
2008025076.tif 000007